(57)【要約】【課題】互いに区切られた２以上の空間を対象として同時に空調を行うことが可能な空気調和装置を提供する。【解決手段】壁ＤＳで仕切られた左部屋Ｓ１と右部屋Ｓ２との空調を行う壁面設置型空調室内機１であって、室内機ケーシング４と、両吸込シロッコファン１１とを備えている。室内機ケーシング４は、壁ＤＳに対して設置されて、左部屋Ｓ１に対して開口した左吸込口４１ｃ、左上段吹出口４１ｕおよび左下段吹出口４１ｄと、右部屋Ｓ２に対して開口した右吸込口４２ｃ、右上段吹出口４２ｕおよび右下段吹出口４２ｄと、を有している。そして、両吸込シロッコファン１１は、室内機ケーシング４内に設けられ、回転駆動することにより左吸込口４１ｃおよび／または右吸込口４２ｃが負圧になり左上段吹出口４１ｕ、左下段吹出口４１ｄおよび／または右上段吹出口４２ｕ、右下段吹出口４２ｄが正圧になる位置に配置されている。【選択図】図２
2007278639.tif 000002
【特許請求の範囲】
【請求項１】
仕切板（ＤＳ）で仕切られた第１空間（Ｓ１）と第２空間（Ｓ２）とを空調する空気調和装置（１００）であって、
前記仕切板（ＤＡ）において、前記第１空間（Ｓ１）に対して開口した第１吸込口（４１ｃ）および第１吹出口（４１ｕ、４１ｄ）と、前記第２空間（Ｓ２）に対して開口した第２吸込口（４２ｃ）および第２吹出口（４２ｕ、４２ｄ）と、を有するケーシング（４）と、
前記ケーシング（４）内に設けられ、回転駆動することにより前記第１吸込口（４１ｃ）および／または前記第２吸込口（４２ｃ）が負圧になり前記第１吹出口（４１ｕ、４１ｄ）および／または前記第２吹出口（４２ｕ、４２ｄ）が正圧になる位置に配置される送風ファン（１１）と、
を備えた空気調和装置（１００）。
【請求項２】
前記送風ファン（１１）は、回転軸が前記第１吸込口（４１ｃ）から前記第２吸込口（４２ｃ）に向かう方向と略同一方向に延びており、前記第１吸込口（４１ｃ）と前記第２吸込口（４２ｃ）との間に位置している両吸込送風ファン（１１）である、
請求項１に記載の空気調和装置（１００）。
【請求項３】
前記送風ファン（１１）を回転駆動させるファンモータ（１２）を１つだけさらに備えた、
請求項１または２に記載の空気調和装置（１００）。
【請求項４】
前記送風ファン（１１）は、回転軸を中心とした円周状に配置され回転軸と略並行な方向に延びる複数の羽根（１１ａ）と、前記複数の羽根（１１ａ）の内部を前記第１空間（Ｓ１）側の第１送風エリア（Ｆ１）と前記第２空間（Ｓ２）側の第２送風エリア（Ｆ２）を仕切るファン仕切板（ＤＦ）と、をさらに有し、
前記ケーシング（４）は、内部を前記第１空間（Ｓ１）側の第１空調エリア（Ａ１）と前記第２空間（Ｓ２）の第２空調エリア（Ａ２）を仕切り、端部が前記送風ファン（１１）の複数の羽根（１１ａ）近傍まで延びているケーシング仕切板（ＤＡ）をさらに有し、
前記ファン仕切板（ＤＦ）および前記ケーシング仕切板（ＤＡ）を前記送風ファン（１１）の回転軸方向に移動させる仕切移動機構をさらに備えた、
請求項１から３のいずれか１項に記載の空気調和装置（１００）。
【請求項５】
前記送風ファン（１１）は、前記第１空間（Ｓ１）側のファン第１吸込口と前記第２空間（Ｓ２）側のファン第２吸込口との間を仕切るファン仕切板（ＤＦ）をさらに有し、
前記ケーシング（４）は、内部を前記第１空間（Ｓ１）側の第１空調エリア（Ａ１）と前記第２空間（Ｓ２）の第２空調エリア（Ａ２）を仕切り、端部が前記送風ファン（１１）近傍まで延びているケーシング仕切板（ＤＡ）をさらに有し、
前記送風ファン（１１）および前記ケーシング仕切板（ＤＡ）を前記送風ファン（１１）の回転軸方向に移動させるファン仕切移動機構をさらに備えた、
請求項１から３のいずれか１項に記載の空気調和装置（１００）。
【請求項６】
前記ケーシング（４）は、前記第１吹出口（４１ｕ、４２ｄ）および／または前記第２吹出口（４２ｕ、４２ｄ）を介した吹出の許可・非許可を切り替える吹出切替手段をさらに備えた、
請求項１から５のいずれか１項に記載の空気調和装置（１００）。
【請求項７】
前記第１吹出口（４１ｕ、４１ｄ）および／または前記第２吹出口（４２ｕ、４２ｄ）は、前記第１吸込口（４１ｃ）をまたいで複数設けられている、
請求項１から６のいずれか１項に記載の空気調和装置（１００）。
【請求項８】
前記ケーシング（４）内であって、前記送風ファン（１１）から吹き出された空気が前記第１吹出口および前記第２吹出口（４２ｃ）に導かれる間の空間に配置される共通熱交換器（１０、１０ｕ、１０ｄ）をさらに備えた、
請求項１から７のいずれか１項に記載の空気調和装置（１００）。
【請求項９】
前記送風ファン（１１）と、第１吸込口（４１ｃ）および／または前記第２吸込口（４２ｃ）と、の間に配置される片側熱交換器をさらに備えた、
請求項８に記載の空気調和装置（１００）。
【請求項１０】
前記ケーシング（４）内であって、前記送風ファン（１１）から吹き出された空気が前記第１吹出口に導かれる間の空間に配置される第１熱交換器（１１１ｕ、１１１ｄ）、および／または、前記送風ファン（１１）から吹き出された空気が前記第２吹出口に導かれる間の空間に配置される第２熱交換器（１１２ｕ、１１２ｄ）と、
前記送風ファン（１１）と、第１吸込口（４１ｃ）および／または前記第２吸込口（４２ｃ）と、の間に配置される片側熱交換器と、をさらに備えた、
請求項１から７のいずれか１項に記載の空気調和装置（１００）。
【請求項１１】
前記熱交換器を流れる冷媒温度を、互いに異なる温度となるように制御する冷媒温度相違制御を行う制御部をさらに備えた、
請求項９または１０に記載の空気調和装置（１００）。
【請求項１２】
前記熱交換器は、アルミ積層熱交換器である、
請求項８から１１のいずれか１項に記載の空気調和装置（１００）。
【発明の詳細な説明】
【技術分野】
【０００１】
本発明は、空気調和装置、特に、複数の空間を対象として空調を行う空気調和装置に関する。
【背景技術】
【０００２】
一般に、空気調和装置として、空調対象空間の天井に設置されるものや、天井から吊り下げられて、室内対象空間の空調を行うものが知られている。
このような空気調和装置について、例えば、以下に示す特許文献１に記載されているように、建物の屋上等に配置される室外機が、複数の部屋毎に設けられた室内機それぞれに対して冷媒接続配管を介して接続され、各部屋の空調を行う空調システムが提案されている。この空調システムによると、各部屋毎に空調を行うことが可能になり、部屋毎のユーザの希望に応じた快適な環境を提供することができる。
【特許文献１】特開２００３−２８７２６０号公報
【発明の開示】
【発明が解決しようとする課題】
【０００３】
ところが、特許文献１に示された空調システムでは、空調対象となる空間毎に個別に送風ファンが設けられた室内機が必要になってしまっている。
本発明は上述した点に鑑みてなされたものであり、本発明の課題は、互いに区切られた２以上の空間を対象として同時に空調を行うことが可能な空気調和装置を提供することにある。
【課題を解決するための手段】
【０００４】
第１発明に係る空気調和装置は、仕切板で仕切られた第１空間と第２空間とを空調する空気調和装置であって、ケーシングと、送風ファンとを備えている。ケーシングは、仕切板において設けられ、第１空間に対して開口した第１吸込口および第１吹出口と、第２空間に対して開口した第２吸込口および第２吹出口と、を有している。そして、送風ファンは、ケーシング内に設けられ、回転駆動することにより第１吸込口および／または第２吸込口が負圧になり第１吹出口および／または第２吹出口が正圧になる位置に配置されている。
【０００５】
従来の空気調和装置では、複数の空間を空調する場合には、各空間に対応した個別の装置が設けられており、各空間の空調を個別に行っている。
これに対して第１発明の空気調和装置は、第１空間と第２空間との仕切部分に設けられている。そして、第１空間側に対する空気流れを形成させるための第１吸込口および第１吹出口と、第２空間側に対する空気流れを形成させるための第２吸込口および第２吹出口とがそれぞれ設けられている。そして、送風ファンが回転駆動することで各吸込口が負圧状態にされて、各吹出口が正圧状態にされる。これにより、第１空間の空気を第１吸込口からケーシング内部に取り込みつつ、第２空間の空気を第２吸込口からケーシング内部に取り込むことができる。また、このようにしてケーシング内部に取り込まれた空気は、第１吹出口を介して第１空間へ吹き出しつつ、第２吹出口を介して第２空間へ吹き出すことができる。
これにより、１つの送風ファンによって、第１空間に対してだけでなく、第１空間と仕切られた第２空間に対しても、同時に空調を行うことが可能になる。
【０００６】
第２発明に係る空気調和装置は、第１発明の空気調和装置であって、送風ファンは、回転軸が第１吸込口から第２吸込口に向かう方向と略同一方向に延びており、第１吸込口と第２吸込口との間に位置している両吸込送風ファンである。
【０００７】
ここでは、回転軸方向が第１吸込口から第２吸込口に向かう方向と略同一方向となるように両吸込送風ファンが設けられている。このため、送風能力と、第１吸込口から第２吸込口に向かう方向の長さと、の関係は希薄になっている。
これにより、第１吸込口から第２吸込口に向かう方向の厚みが薄い両吸込送風ファンを採用することができ、空気調和装置自体を薄型化させることが可能になる。
【０００８】
第３発明に係る空気調和装置は、第１発明または第２発明の空気調和装置であって、送風ファンを回転駆動させるファンモータを１つだけさらに備えている。
ここでは、第１空間の空調のための空気流れと、第２空間の空調のための空気流れとを形成させるための送風ファンの回転駆動を、１つのファンモータによって実現することができる。
これにより、ファンモータが１つで済むので、システムコストを抑え、コンパクトに設計を行うことが可能になる。
【０００９】
第４発明に係る空気調和装置は、第１発明から第３発明のいずれかの空気調和装置であって、送風ファンは、複数の羽根と、ファン仕切板とさらに有している。この複数の羽根は、回転軸を中心とした円周状に配置され、回転軸と略並行な方向に延びるようにして設けられている。また、ファン仕切板は、複数の羽根の内部を第１空間側の第１送風エリアと第２空間側の第２送風エリアを仕切っている。ケーシングは、ケーシング仕切板をさらに有している。このケーシング仕切板は、内部を第１空間側の第１空調エリアと第２空間の第２空調エリアを仕切り、端部が送風ファンの複数の羽根近傍まで延びている。さらに、仕切移動機構を備えている。この仕切移動機構は、ファン仕切板およびケーシング仕切板を送風ファンの回転軸方向に移動させる。
【００１０】
ここでは、ファン仕切板は、複数の羽根の内側に位置しており、送風ファンが回転駆動することで複数の羽根が回転しようとする場合であっても、この複数の羽根の回転を妨げることがない。また、ケーシング仕切板も、端部が複数の羽根の近傍まで延びているだけで接触していないために、送風ファンの回転駆動による複数の羽根の回転を妨げることがない。そして、ファン仕切板は複数の羽根の内部を第１空間側の第１送風エリアと第２空間側の第２送風エリアを仕切っており、ケーシング仕切板は端部が送風ファンの複数の羽根近傍まで延びてケーシング内部を第１空調エリアと第２空調エリアとに仕切っている。これにより、第１空間側において吸い込まれ吹き出される空気流れと、第２空間側において吸い込まれ吹き出される空気流れとは、互いに混ざり合うことが抑えられ、それぞれの空気流れを形成することができる。そして、ファン仕切板およびケーシング仕切板は、仕切移動機構によって、送風ファンの回転軸方向における位置を変更させる。
これにより、送風ファンの複数の羽根の位置を回転軸方向に移動させることなく、ファン仕切板およびケーシング仕切板を回転軸方向に対して移動させることで、第１空間に対する空気流れの量と、第２空間に対する空気流れの量と、を分けて、それぞれの量を調整することが可能になる。
【００１１】
第５発明に係る空気調和装置は、第１発明から第４発明のいずれかの空気調和装置であって、送風ファンは、第１空間側のファン第１吸込口と第２空間側のファン第２吸込口との間を仕切るファン仕切板をさらに有している。そして、ケーシングは、ケーシング仕切板をさらに有している。このケーシング仕切板は、内部を第１空間側の第１空調エリアと第２空間の第２空調エリアを仕切り、端部が送風ファン近傍まで延びている。そして、ファン仕切移動機構は、送風ファンおよびケーシング仕切板を送風ファンの回転軸方向に移動させる。
【００１２】
ここでは、ケーシング内部が、ファン仕切板とケーシング仕切板とによって仕切られており、仕切られた両空間における空気が互いに混ざり合うことを抑えつつ、それぞれの空間を介した空気流れを形成することができる。そして、ここでは、ファン仕切板を含めた送風ファン自体およびケーシング仕切板が、ファン仕切移動機構によって送風ファンの回転軸方向に移動する。
これにより、ケーシング内部に配置された送風ファンとケーシング仕切板とを一緒に移動させることで、第１空間に対する空気流れの量と、第２空間に対する空気流れの量と、を分けて、それぞれの量を調整することが可能になる。
【００１３】
第６発明に係る空気調和装置は、第１発明から第５発明のいずれかの空気調和装置であって、ケーシングは、第１吹出口および／または第２吹出口を介した吹出の許可・非許可を切り替える吹出切替手段をさらに備えている。ここで、切替機構としては、開閉ダンパも、スライドシャッタ等も含まれる。
ここでは、吹出切替手段によって、第１吹出口もしくは第２吹出口のいずれか一方の吹出を禁止することで、他の吹出口を介した吹出のみが可能な状態にすることができる。
これにより、例えば、片側の空間における空気を利用することで、他の空間に対して供給される調和空気を形成する場合の負荷を低減させることが可能になる。
【００１４】
第７発明に係る空気調和装置は、第１発明から第６発明のいずれかの空気調和装置であって、第１吹出口および／または第２吹出口は、第１吸込口をまたいで複数設けられている。
ここでは、吹出口が複数設けられているため、送風ファンから送られてくる空気流れに対して吹出の際に吹出口において生じる抵抗が少なくなっている。
これにより、吹出の送風抵抗を低減させて送風効率を向上させることが可能になる。
【００１５】
第８発明に係る空気調和装置は、第１発明から第７発明のいずれかの空気調和装置であって、ケーシング内であって、送風ファンから吹き出された空気が第１吹出口および第２吹出口に導かれる間の空間に配置される共通熱交換器をさらに備えている。
ここでは、第１空間を対象として空気を調和させるための熱交換器と、第２空間を対象として空気を調和させるための熱交換器とを、１つの熱交換器によって併用することができる。
【００１６】
第９発明に係る空気調和装置は、第８発明の空気調和装置であって、送風ファンと、第１吸込口および／または第２吸込口と、の間に配置される片側熱交換器をさらに備えている。
ここでは、送風ファンに対する吹出側だけでなく、吸込側においても熱交換器を配置することで、通過する空気が熱交換を行う機会が増大する。
これにより、熱交換を行う機会を増やすことで熱交換効率を向上させることができる。
【００１７】
第１０発明に係る空気調和装置は、第１発明から第７発明のいずれかの空気調和装置であって、第１熱交換器および／または第２熱交換器と、片側熱交換器と、をさらに備えている。ここで、第１熱交換器は、ケーシング内であって、送風ファンから吹き出された空気が第１吹出口に導かれる間の空間に配置される熱交換器である。第２熱交換器は、送風ファンから吹き出された空気が第２吹出口に導かれる間の空間に配置される熱交換器である。そして、片側熱交換器は、送風ファンと、第１吸込口および／または第２吸込口と、の間に配置される熱交換器である。
【００１８】
ここでは、例えば、第２空間に対して吹き出す調和空気を得るために、第１空間における空気を利用する目的がある場合には、第２吹出口の近傍における第２熱交換器を採用しつつ、送風ファンと第１吸込口との間に配置される片側熱交換器を採用する。
これにより、目的に応じて他の部分に配置される熱交換器が不要になることから、部品点数を削減させることが可能になる。
【００１９】
第１１発明に係る空気調和装置は、第９発明または第１０発明の空気調和装置であって、熱交換器を流れる冷媒温度を互いに異なる温度となるように制御する冷媒温度相違制御を行う制御部をさらに備えている。
ここでは、冷媒温度相違制御部は、熱交換器を流れる冷媒温度が互いに異なる部分が形成されるように冷媒温度の制御を行う。このため、例えば、一部が除湿を行うための冷媒温度となるように制御を行い、他の部分が再熱できるような冷媒温度となるように制御を行えば、除湿を行いつつ室内温度の不快な低下を避けるための運転を行うことが可能になる。
【００２０】
第１２発明に係る空気調和装置は、第８発明から第１１発明のいずれかの空気調和装置であって、熱交換器は、アルミ積層熱交換器である。
ここでは、熱交換器としてアルミ積層熱交換器が採用されているため、内部を流れる冷媒と通過する空気との間で熱交換を行わせるための表面積が多くなるため、熱交換効率を向上させることができる。
【発明の効果】
【００２１】
第１発明に係る空気調和装置では、１つの送風ファンによって、第１空間に対してだけでなく、第１空間と仕切られた第２空間に対しても、同時に空調を行うことが可能になる。
第２発明に係る空気調和装置では、第１吸込口から第２吸込口に向かう方向の厚みが薄い両吸込送風ファンを採用することができ、空気調和装置自体を薄型化させることが可能になる。
【００２２】
第３発明に係る空気調和装置では、ファンモータが１つで済むので、システムコストを抑え、コンパクトに設計を行うことが可能になる。
第４発明に係る空気調和装置では、送風ファンの複数の羽根の位置を回転軸方向に移動させることなく、ファン仕切板およびケーシング仕切板を回転軸方向に対して移動させることで、第１空間に対する空気流れの量と、第２空間に対する空気流れの量と、を分けて、それぞれの量を調整することが可能になる。
【００２３】
第５発明に係る空気調和装置では、ケーシング内部に配置された送風ファンとケーシング仕切板とを一緒に移動させることで、第１空間に対する空気流れの量と、第２空間に対する空気流れの量と、を分けて、それぞれの量を調整することが可能になる。
第６発明に係る空気調和装置では、第１吹出口もしくは第２吹出口のいずれか一方の吹出を禁止することで、他の吹出口を介した吹出のみが可能な状態にすることができる。
【００２４】
第７発明に係る空気調和装置では、吹出の送風抵抗を低減させて送風効率を向上させることが可能になる。
第８発明に係る空気調和装置では、１つの熱交換器を併用することで、第１空間および第２空間に対して供給する空気に対する熱交換に利用することが可能になる。
第９発明に係る空気調和装置では、熱交換を行う機会を増やすことで熱交換効率を向上させることができる。
【００２５】
第１０発明に係る空気調和装置では、目的に応じて他の部分に配置される熱交換器が不要になることから、部品点数を削減させることが可能になる。
第１１発明に係る空気調和装置では、除湿を行いつつ室内温度の不快な低下を避けるための運転を行うことが可能になる。
第１２発明に係る空気調和装置では、熱交換効率を向上させることができる。
【発明を実施するための最良の形態】
【００２６】
＜空気調和装置１００の概略構成＞
本発明の一実施形態が採用された空気調和装置１００は、二つの空間を仕切る室内の壁面等に設置されて用いられる壁面設置型空調室内機１と、室外に設置される室外機２とを備えている。
この空気調和装置１００の壁面設置型空調室内機１が壁ＳＤに設置されている状態を示す概略外観図を図１に示す。また、両空間をまたぐ様子を示す断面図を図２に示す。
壁面設置型空調室内機１内および室外機２内にはそれぞれ熱交換器が収納されており、各熱交換器が冷媒配管により接続されることにより冷媒回路を構成している。
【００２７】
＜空気調和装置１００の冷媒回路の構成概略＞
空気調和装置１００の冷媒回路の構成を図３に示す。
この冷媒回路は、主として共通熱交換器１０、アキュムレータ２１、圧縮機２２、四路切換弁２３、室外熱交換器２０および膨張弁２４で構成される。
【００２８】
壁面設置型空調室内機１に設けられている共通熱交換器１０は、接触する空気との間で熱交換を行う。また、壁面設置型空調室内機１には、室内空気を吸い込んで共通熱交換器１０に通し熱交換が行われた後の空気を室内に排出するための両吸込シロッコファン１１が設けられている。両吸込シロッコファン１１は、壁面設置型空調室内機１内に設けられる１つの室内ファンモータ１２によって回転駆動される。これらの共通熱交換器１０、両吸込シロッコファン１１、室内ファンモータ１２は、室内機ケーシング４に収容されている。室内機ケーシング４については後に詳細に説明する。なお、室内ファンモータ１２は１つのモータから構成されており、モータの駆動力によって両吸込シロッコファン１１を回転駆動させることで、空気流れを２つ形成させる。このため、２つの空気流れを形成させるために必要なファンモータの数を低減させることができ、システムコストを削減でき、装置を小型化させることができている。
【００２９】
室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して共通熱交換機１０の一端と接続される。また、四路切換弁２３は、ガス閉鎖弁２７を介して配管に接続されており、この配管を介して共通熱交換器１０の他端と接続されている。また、室外機２には、室外熱交換器２０での熱交換後の空気を外部に排出するためのプロペラファン２８が設けられている。このプロペラファン２８は、室外ファンモータ２９によって回転駆動される。
【００３０】
以下、壁面設置型空調室内機１の内部の詳細構成について説明する。
＜壁面設置型空調室内機１＞
この空気調和装置１００の壁面設置型空調室内機１の側断面図を図２に示す。
この壁面設置型空調室内機１は、図２に示すように、主として、室内機ケーシング４、両吸込シロッコファン１１、制御部５および共通熱交換器１０を備えている。
【００３１】
以下、説明のため、図２において、紙面上左側に位置している部分を左部屋Ｓ１とし、紙面上右側に位置している部分を右空間Ｓ２とする。
（室内機ケーシング４）
室内機ケーシング４は、図２に示すように、壁ＤＳに埋め込まれており、上下方向に長い略直方体形状のケーシングであって、主として、左部屋Ｓ１に面している左側面４１と、右部屋Ｓ２に面している右側面４２と、壁ＤＳに接している部分（図示略）と、ケーシング仕切板ＤＡと、を有している。
【００３２】
このうち、左側面４１には、中央付近に設けられた開口である左吸込口４１ｃと、上方において設けられた開口である左上段吹出口４１ｕと、下方において設けられた開口である左下段吹出口４１ｄと、が設けられている。ここで、右吸込口４１ｃは、室内空気を室内機ケーシング４の内部に取り込むための開口である。右上段吹出口４１ｕは、温度や湿度が調和された空気を室内の上方の空間に向けて吹き出すための開口である。右下段吹出口４１ｄは、温度や湿度が調和された空気を室内の下方の空間に向けて吹き出すための開口である。また、右部屋Ｓ２に面している右側面４２は、上述した左部屋Ｓ１に面している左側面４１の構成と同様にして、左右略対称に、右吸込口４２ｃと、右上段吹出口４２ｕと、右下段吹出口４２ｄとを有している。
【００３３】
これらの各面によって囲まれたエリアは、後述する室内機ケーシング４の内部に配置される両吸込シロッコファン１１およびケーシング仕切板ＤＡとによって、左空調エリアＡ１と右空調エリアＡ２とに仕切られる。
（共通熱交換器１０）
共通熱交換器１０は、図２に示すように、室内機ケーシング４の内部に収容されており、室内機ケーシング４内に取り込まれた空気との間で熱交換を行う。共通熱交換機１０は、室内機ケーシング４の内部の両吸込シロッコファン１１の上方の吹出部分の上方に位置する上段共通熱交換器１０ｕと、両吸込シロッコファン１１の下方の吹出部分の下方に位置する下段共通熱交換器１０ｄと、を有している。
【００３４】
上段共通熱交換器１０ｕは、両吸込シロッコファン１１の上方の吹出部分から吹き出された空気が、左上段吹出口４１ｕもしくは右上段吹出口４２ｕに向かう途中で通過され、熱交換が行われる。
この共通熱交換器１０ｕ、１０ｄの熱交換器では、アルミ積層熱交換器が採用されており、内部を流れる冷媒と通過する空気との間で熱交換を行わせるための表面積が多くなるように形成されることで、熱交換効率を向上させている。
【００３５】
（両吸込シロッコファン１１）
両吸込シロッコファン１１は、室内機ケーシング４の左吸込口４１ｃと右吸込口４２ｃとに間の中央付近に配置されている。具体的には、この両吸込シロッコファン１１は、回転軸が左吸込口４１ｃの面の向きおよび右吸込口４２ｃの面の向きを向くようにして、上段共通熱交換器１０ｕと下段共通熱交換器１０ｄとの間に両熱交換器に挟まれるようにして配置されている。
【００３６】
この両吸込シロッコファン１１は、送風ファンと、この送風ファンを内部に収容しつつ右側、左側、上方および下方を開けるように形成されたファンケーシングと、軸を中心とした円周上に複数設けられた複数の羽根１１ａと、を有している。そして、室内ファンモータ１２によって回転駆動されることで空気流れを形成し、共通熱交換器１０ｕ、１０ｄを正圧にしつつ、左吸込口４１ｃおよび右吸込口４２ｃを負圧にすることで室内機ケーシング４内部に室内空気を取り込み、回転軸から放射状に空気を吹き出している。
【００３７】
ここで、両吸込シロッコファン１１の内部は、ファン仕切板ＦＤによって、左側の左送風エリアＦ１と、右送風エリアＦ２と、に仕切られている。ここで、ファン仕切板ＦＤは、回転軸から複数の羽根１１ａの近傍まで延びた円盤状の部材である。そして、ケーシング仕切板ＤＡも、室内機ケーシング４の内部を仕切りつつ、端部が両吸込シロッコファン１１の複数の羽根１１ａの近傍まで延びるように形成されている。ここで、複数の羽根１１ａの近傍におけるファン仕切板ＤＦの端部とケーシング仕切板ＤＡの端部とは軸方向において略同じ位置に配置されている。
【００３８】
これにより、両吸込シロッコファン１１が回転駆動することで、左部屋Ｓ１の空気が左空調エリアＡ１に取り込まれ、左送風エリアＦ１を通過して共通熱交換器１０ｕ、１０ｄで熱交換されて上方もしくは下方の左空調エリアＡ１に吹き出される。そして、これらの空気が左上段吹出口４１ｕおよび左下段吹出口４１ｄを介して再び左部屋Ｓ１に対して吹き出される。なお、ここで、左吸込口４１ｃから吸い込まれ共通熱交換器１０で熱交換された空気の一部は、右上段吹出口４２ｕもしくは右下段吹出口４２ｄを介して右部屋Ｓ２に対して吹き出される。
【００３９】
また、両吸込シロッコファン１１が回転駆動することで、右部屋Ｓ２の空気が右空調エリアＡ２に取り込まれ、右送風エリアＦ２を通過して共通熱交換器１０ｕ、１０ｄで熱交換されて上方もしくは下方の右位空調エリアＡ２に吹き出される。そして、これらの空気が右上段吹出口４２ｕおよび右下段吹出口４２ｄを介して再び右部屋Ｓ２に対して吹き出される。なお、ここで、右吸込口４２ｃから吸い込まれ共通熱交換器１０で熱交換された空気の一部は、左上段吹出口４１ｕもしくは左下段吹出口４１ｄを介して左部屋Ｓ１に対して吹き出される。
【００４０】
（制御部５）
制御部５は、図２に示すように、室内機ケーシング４の内部に配置されており、コントローラ（図示せず）を介して外部から信号を受けて、両吸込シロッコファン１１の室内ファンモータ１２の回転数を制御したり、共通熱交換機１０を流れる冷媒温度を制御したりする。
【００４１】
＜本実施形態の壁面設置型空調室内機１の特徴＞
（１）
従来の空気調和装置では、空調を行う各空間毎にそれぞれ個別に空調室内機を設けて、それぞれ個別に空調制御を行わなければならない。
これに対して、本実施形態における空気調和装置１００の壁面設置型空調室内機１では、室内機ケーシング４に左部屋Ｓ１側に対する左吸込口４１ｃ、左吹出口４１ｕ、４１ｄと、右部屋Ｓ２側に対する右吸込口４２ｃ、右吹出口４２ｕ、４２ｄと、が設けられ、左右に共通して利用される共通熱交換器１０および両吸込シロッコファン１１を介して、調和空気を左部屋Ｓ１だけでなく右部屋Ｓ２に対しても、同時に提供することができる。
【００４２】
なお、ここで、調和空気を形成するための熱交換器は、両吸込シロッコファン１１の吹出部分から、左吹出口４１ｕ、４１ｄおよび右吹出口４２ｕ、４２ｄとの間に配置されて、左右で共通して用いられている共通熱交換器である。このため、左右の両空間を対象として空調を行う場合であっても、熱交換器は１つで足りている。
また、両吸込シロッコファン１１は、左部屋Ｓ１および右部屋Ｓ２にそれぞれ対応させて、左右の吸込および吹出を可能にしているため、左右の２つの空間を対象として空調を行う場合であっても、送風機は、１つで足りている。そして、左右の空気流れを形成するための送風機の回転軸方向が１つであるため、送風機を回転駆動させるための室内ファンモータ１２も１つで足りるようになっている。
【００４３】
（２）
上記実施形態に係る壁面設置型空調室内機１では、送風機として両吸込シロッコファン１１が採用されている。この両吸込シロッコファン１１では、回転軸方向が左吸込口４１ｃの面の向きと、右吸込口４２ｃの面の向きと略同一な方向となっている。そして、シロッコファンは、吸込方向と吹出方向とが直行する関係にあり、両吸込シロッコファン１１の送風能力と、両吸込シロッコファン１１の軸方向の厚みとの関係は希薄である。これにより、壁面設置型空調室内機１において軸方向の厚みが薄く形成された両吸込シロッコファン１１を採用することができ、壁面設置型空調室内機１自体を薄型化させることができる。
【００４４】
（３）
本実施形態における壁面設置型空調室内機１では、左の吹出では、左上段吹出口４１ｕ、左下段吹出口４１ｄが設けられ、右の吹出では、右上段吹出口４２ｕ、右下段吹出口４２ｄが設けられ、それぞれ吹出口が２つ設けられている。これにより、吹出口が１つしか設けられていない場合と比較して、吹出口が左右に２つ設けられていることで、吹出の送風抵抗が低減され、送風効率を向上させている。
【００４５】
＜他の実施形態＞
以上、本発明の一実施形態について説明したが、本発明は上記実施形態に限定されるものではなく、発明の要旨を逸脱しない範囲で種々の変更が可能である。
（Ａ）
上記実施形態における壁面設置型空調室内機１として、左部屋Ｓ１と右部屋Ｓ２との両部屋から空気を取り込んで調和空気を両空間に対して吹き出すように構成されたものを例に挙げて説明した。
【００４６】
しかし、本発明はこれに限られるものではなく、例えば、図４に示す壁面設置型空調室内機２００のように、上下の共通熱交換機１０ｕ、１０ｄと壁ＤＳとの間にそれぞれ位置する仕切ダンパ２９０が採用され、左部屋Ｓ１と右部屋Ｓ２に対して供給される調和空気の量が異なるようにしてもよい。ここでは、図４に示すように、上段仕切ダンパ２９１ｕおよび下段仕切ダンパ２９１ｄが設けられており、いずれも左部屋Ｓ１側に対してより多くの調和空気が供給されるように左側の開度がより広く、右側の開度がより狭くなるように調節されている。
【００４７】
このため、例えば、左部屋Ｓ１のほうが空調負荷が大きかったり、各部屋に居るユーザの望む空調環境が異なる場合であっても、各部屋に対する調和空気の吹出程度を調節することができる。これにより、壁面設置型空調室内機２００がまたぐようにして設けられた両部屋の空調を同時に行うことができ、かつ、両部屋において望まれる空調環境をより迅速に実現させることができる。
【００４８】
（Ｂ）
また、図５に示す壁面設置型空調室内機３００のように、左上段吹出口４１ｕ、左下段吹出口４１ｄ、右上段吹出口４２ｕ、右下段吹出口４２ｄのそれぞれの開口を開閉させる仕切ダンパ３９０が採用され、左部屋Ｓ１、もしくは、右部屋Ｓ２に対してのみ調和空気が供給されるようにしてもよい。ここでは、図５に示すように、左上段仕切ダンパ３９１ｕ、左下段仕切ダンパ３９１ｄおよび右上段仕切ダンパ３９２ｕおよび右下段仕切ダンパ３９２ｄが設けられている。そして、左部屋Ｓ１側に対してのみ調和空気の供給が行われるように、左側の各ダンパ３９１ｕおよび３９１ｄを「開」状態として、右側の各ダンパ３９２ｕおよび３９２ｄを「閉」状態としている。
【００４９】
このため、例えば、ユーザがリビングとして利用している右部屋Ｓ２で作業を行った後に（この作業中は右部屋Ｓ２は空調しており、右部屋Ｓ２には調和空気が残っている）、寝室として利用している左部屋Ｓ１で寝ようとして、右部屋Ｓ２への調和空気の吹出を停止して、左部屋Ｓ１のみを対象として調和空気を吹出たい場合がある。このような場合に、直前まで利用していた右部屋Ｓ２において調和空気が多く存在しているため、左部屋Ｓ１に対して供給する調和空気を形成させるための熱交換負荷を、右部屋Ｓ２の空気を利用した空気調和を行うことで、低減させることができる。また、より迅速にユーザの望む空調空間を実現することができる。上記点は、左部屋Ｓ１から右部屋Ｓ２へと調和空気を運ぶ場合についても同様である。
【００５０】
また、ここで、室内機ケーシング４の左吸込口４１ｃおよび右吸込口４２ｃにおいて、それぞれ各開口を開閉可能なスライドシャッタ等を設けるようにしてもよい。例えば、上述のように、右部屋Ｓ２の空気を利用して左部屋Ｓ１に対して調和空気を供給する場合に、左吸込口４１ｃに設けられたスライドシャッタを閉めて左部屋Ｓ１から室内機ケーシング４内への空気の取り込みを禁止し、右部屋Ｓ２からの右吸込口４２ｃのみを介した空気の取り込みのみを許可することで、空気流れを右から左のみとすることができる。また、被調和空気を右部屋Ｓ２の空気のみとすることができ、空調負荷をより低減させることができる。
【００５１】
（Ｃ）
さらに、図６に示す壁面設置型空調室内機４００のように、両吸込シロッコファン１１の吹出部分に設けられて、ファンの回転軸方向にファンに対する相対位置が変化することで左右の吹出が切り替えられるケーシング仕切板ＤＡｕ、ＤＡｄが採用され、左部屋Ｓ１と右部屋Ｓ２に対して供給される調和空気の量が異なるようにしてもよい。例えば、上段共通熱交換器１０ｕおよび下段共通熱交換器１０ｄは、上段ケーシング仕切板ＤＡｕおよび下段ケーシング仕切板ＤＡｄとのそれぞれがファンの回転軸方向に向けて移動可能となるように、冷媒配管の熱交換器部分が主に略回転軸方向に延びて多段に折り曲げられて形成されたものを採用してもよい。そして、ここでは、図６に示すように、上段ケーシング仕切板ＤＡｕおよび下段ケーシング仕切板ＤＡｄが設けられている。この図６では、左部屋Ｓ１側に対してのみ調和空気の供給が行われるように、上段ケーシング仕切板ＤＡｕは両吸込シロッコファン１１の上方の吹出部分の右端部よりもさらに右側に位置し、下段ケーシング仕切板ＤＡｄは両吸込シロッコファン１１の下方の吹出部分の右端部よりもさらに右側に位置するように、それぞれ配置された状態を示している。
【００５２】
このため、他の実施形態（Ｂ）と同様に、調和空気の吹出方向をいずれか一方に対してのみ行うことができる。また、いずれか一方の部屋に存在している調和空気を他方の部屋に対して供給する調和空気の形成において利用することで、空調負荷を低減させることも可能になる。しかも、この上段ケーシング仕切板ＤＡｕおよび下段ケーシング仕切板ＤＡｄの両吸込シロッコファン１１の吹出部分に対する位置を微調整することで、左部屋Ｓ１に対する吹出量と、右部屋Ｓ２に対する吹出量とを調節することが可能になる。さらに、ここでは、ケーシング仕切板ＤＡｕ、ＤＡｄを回転軸方向に向けて移動させるだけで、各部屋Ｓ１、Ｓ２に対する吹出量を変えることができ、両吸込シロッコファン１１自体を回転軸方向に移動させる必要がない。
【００５３】
また、ここで、室内機ケーシング４の左吸込口４１ｃおよび右吸込口４２ｃにおいて、それぞれ各開口を開閉可能なスライドシャッタ等を設けるようにしてもよい点も、上述した他の実施形態（Ｂ）と同様である。
なお、両吸込シロッコファン１１の内部を左送風エリアＦ１と右送風エリアＦ２とに仕切るファン仕切板ＤＦが、複数の羽根１１ａに接触しない程度に端部近傍まで延びて形成され、回転軸方向に移動可能となるように形成されていてもよい。そして、上記他の実施形態（Ａ）の仕切ダンパ２９０とともに、左右の部屋Ｓ１、Ｓ２に対する開度をそれぞれ調節することで、吹出量の調節を行うようにしてもよい。
【００５４】
（Ｄ）
また、図７に示す壁面設置型空調室内機５００のように、両吸込シロッコファン５１１と（ファン仕切板ＤＦｃを含む）、上段ケーシング仕切板ＤＡｕと、下段ケーシング仕切板ＤＡｄと、のそれぞれが一体となって室内機ケーシング４内においてファンの回転軸方向に向けて相対移動することで、左右の吹出が切り替えられ、左部屋Ｓ１と右部屋Ｓ２に対して供給される調和空気の量が異なるように構成してもよい。ここでの共通熱交換器１０ｕ、１０ｄの構成としては、上述した他の実施形態（Ｃ）と同様とすることができる。この図７では、右部屋Ｓ２よりも左部屋Ｓ１側に対してより多くの調和空気が供給されるように、両吸込シロッコファン５１１と、上段ケーシング仕切板ＤＡｕと、下段ケーシング仕切板ＤＡｄとが、一緒に、ケーシング仕切板ＤＡ内において右側に移動した状態を示している。
【００５５】
これにより、室内機ケーシング４の内部の空間について、左空調エリアＡ１のほうが右空調エリアＡ２と比較して広くなる。このため、左空調エリアＡ１を通過する空気は、右空調エリアＡ２を通過する空気よりも送風抵抗が少ない。よって、上記他の実施形態と同様に、左部屋Ｓ１に対する空調を優先させることが可能になる。
また、ここで、室内機ケーシング４の左吸込口４１ｃおよび右吸込口４２ｃにおいて、それぞれ各開口を開閉可能なスライドシャッタ等を設けるようにしてもよい点も、上述した他の実施形態（Ｂ）と同様である。
【００５６】
（Ｅ）
上記実施形態における壁面設置型空調室内機１では、熱交換器として、左部屋Ｓ１だけでなく右部屋Ｓ２も含めた両空間に対して吹き出される空気を対象として熱交換を行うように、両吸込シロッコファン１１の上下の吹出部分近傍にそれぞれ配置された上段共通熱交換器１０ｕおよび下段熱交換器１０ｄが採用された場合を例に挙げて説明した。
【００５７】
しかし、本発明はこれに限られるものではなく、例えば、図８に示す壁面設置型空調室内機６００ように、両吸込シロッコファン１１と室内機ケーシング４の左吸込口４１ｃとの間に配置される左熱交換器６１ｃ、および、両吸込シロッコファン１１と室内機ケーシング４の右吸込口４２ｃとの間に配置される右熱交換器６２ｃをさらに備えるようにしてもよい。
【００５８】
これにより、壁面設置型空調室内機６００では、吸い込まれた空気の熱交換を、両吸込シロッコファン１１の吹出部分だけでなく、吸込部分においても行うことができ、熱交換器を流れる冷媒との間で熱交換を行う機会が増大する。このため、熱交換効率を向上させることができる。
さらに、ここで、制御部５は、冷媒温度制御において、上段共通熱交換器１０ｕ、下段共通熱交換器１０ｄ、左熱交換器６１ｃおよび右熱交換器６２ｃとのそれぞれを流れる冷媒温度が異なるように制御してもよい。例えば、図８に示すように、共通熱交換器１０ｕ、１０ｄは同じ冷媒温度となるように、左熱交換器６１ｃと右熱交換器６２ｃとを共通熱交換器１０ｕ、１０ｄとは異なる共通の冷媒温度となるように、それぞれ冷媒温度制御してもよい。ここで、何れかの熱交換器を冷媒の蒸発器として機能させて室内空気の除湿運転を行いつつ、他の何れかの熱交換器を凝縮器として機能させて除湿されて乾いた空気を加熱することで、再熱ドライ運転を行うことができる。これにより、調和空気の温度を下げることなく室内の不快な湿度を除去することができる。
【００５９】
（Ｆ）
上記実施形態における壁面設置型空調室内機１では、送風ファンとして両吸込シロッコファン１１が採用された場合について例に挙げて説明した。
しかし、本発明はこれに限られるものではなく、例えば、片面からの吸込が可能なターボファンを２つ用意し、それぞれの吸込面が互いに反対側を向くようにして両ターボファンを結合させて２連ターボファンとして、上記実施形態における両吸込シロッコファンに代用させた構成としてもよい。この場合であっても、上記実施形態と同様の効果を奏することができる。
【００６０】
（Ｇ）
上記実施形態における壁面設置型空調室内機１では、左部屋Ｓ１と右部屋Ｓ２との２部屋をまたぐ位置に設置されて左部屋Ｓ１および右部屋Ｓ２の２つの部屋を対象として空調を行う場合を例に挙げて説明した。
しかし、本発明はこれに限られるものではなく、例えば、壁面設置型空調室内機は、４つの部屋をまたぐ位置に設置され、これら４つの部屋それぞれに対して吸込口および吹出口が設けられた構成としてもよい。
【００６１】
例えば、４つの部屋に仕切るように壁面が十文字となっている部分において壁面設置型空調室内機を設置することができる。この場合において、左吸込口４１ｃおよび左吹出口４１ｕ、４１ｄが左側の２つの部屋をまたぐように設置され、右吸込口４２ｃおよび右吹出口４２ｕ、４２ｄが右側の２つの部屋をまたぐように設置されるようにしてもよい。さらには、２つの両吸込シロッコファンを回転軸方向が互いにクロスするように上下に配置して、４方向からの吸込および吹出を可能にして、４つへ部屋それぞれを対象とした吸込口および吹出口が設けられ、４つの部屋の空調が同時に行われるようにしてもよい。
【００６２】
（Ｈ）
上記実施形態における壁面設置型空調室内機１では、左部屋Ｓ１と右部屋Ｓ２とに対して共通して利用される熱交換器として、上段共通熱交換器１０ｕと、下段共通熱交換器１０ｄとが採用される場合を例に挙げて説明した。
しかし、本発明はこれに限られるものではなく、例えば、右部屋Ｓ２の空調を左部屋Ｓ１の空気を利用して行うようにするのであれば、図９に示す壁面設置型空調室内機７００とすることができる。すなわち、例えば、右部屋Ｓ２からの吸込がないため図８の壁面設置型空調室内機６００で示したような右熱交換器６２ｃは必要なくなり、左部屋Ｓ１に対する吹出がないため図８等で示したような共通熱交換器１０ｕ、１０ｄのうち左側の部分は機能せず、必要なくなる。
【００６３】
このため、図９に示すように、壁面設置型空調室内機７００は、吸込側の部屋である左部屋Ｓ１側の左熱交換器７６１ｃと、吹出側の部屋である右部屋Ｓ２側の右上段熱交換器７１０ｕおよび右下段熱交換器７１０ｄを備えるだけで、左部屋Ｓ１の空気を利用した右部屋Ｓ２の空調を行うことができる。ここでは、まず、左部屋Ｓ１からの空気を室内機ケーシング４内に取り込む際に左熱交換器７６１ｃにおいて熱交換が行われ、さらに、両吸込シロッコファン１１から吹き出される空気は、右上段熱交換器７１０ｕおよび右下段熱交換器７１０ｄそれぞれにおいて熱交換が行われ、充分に空気調和された空気を右部屋Ｓ２に対して吹き出すことができる。これにより、不要な部品を設けないことにより、部品点数の削減が可能になり、コストダウンさせることができる。
【００６４】
この場合においても、上述した他の実施形態（Ｅ）と同様に、左熱交換器７６１ｃと、右上段熱交換器７１０ｕおよび右下段熱交換器７１０ｄと、を流れる冷媒温度のいずれかの部分を流れる冷媒温度が異なるように制御し、上述した再熱ドライ運転を行うようにしてもよい。この場合であっても、調和空気の温度を下げることなく室内の不快な湿度を除去することができる。
【００６５】
なお、上記壁面設置型空調室内機７００として、特に、左吸込口４１ｃや右吸込口４２ｃの開閉、左上段吹出口４１ｕ、左下段吹出口４１ｄ、右上段吹出口４２ｕおよび右下段吹出口４２ｄの開閉については明示していない。しかし、上述したように、左部屋Ｓ１の空気を利用して右部屋Ｓ２の空調を行うだけであれば、右吸込口４２ｃを閉じた構成とすることも可能である。また、左上段吹出口４１ｕおよび左下段吹出口４１ｄを閉じた構成として、調和空気の左部屋Ｓ１への流れを止めて、その分を右部屋Ｓ２側への流れに当てることも可能である。さらには、上述した他の実施形態（Ａ）〜（Ｄ）の両吸込シロッコファン１１の軸方向への可動機構や、ケーシング仕切板ＤＡの移動等の構成を採用することで左部屋Ｓ１から右Ｓ２への空気流れを調整するようにしてもよい。
【００６６】
上述した例では、左部屋Ｓ１の空気を利用して右部屋Ｓ２に対して調和空気を流す場合について説明したが、特にこれに限られることなく、右部屋Ｓ２の空気を利用して左部屋Ｓ１に対して調和空気を流すように構成する場合についても同様である。
（Ｉ）
また、図１０に示すように、壁面設置型空調室内機８００に、左部屋Ｓ１側の左熱交換器８６１ｃと、右部屋Ｓ２側の右熱交換器８６２ｃと、左部屋Ｓ１側の左上段熱交換器８１１ｕおよび左下段熱交換器８１１ｄと、右部屋Ｓ２側の右上段熱交換器８１２ｕおよび右下段熱交換器８１２ｄと、を全て備えた構成とすることもできる。この場合に、制御部５は、上述した他の実施形態（Ｈ）に示したように、左部屋Ｓ１の空気を利用した右部屋Ｓ２への調和空気の吹出制御と、右部屋Ｓ２の空気を利用した左部屋Ｓ１への調和空気の吹出制御と、を相互に切り替えながら空調制御を行うようにしてもよい。さらに、各熱交換器８６１ｃ、８６２ｃ、８１１ｕ、８１１ｄ、８１２ｕおよび８１２ｄを流れる冷媒温度を互いに相違させるように制御して、上述した再熱ドライ運転を行うようにしてもよい。
【産業上の利用可能性】
【００６７】
本発明によれば、互いに区切られた２以上の空間を対象として同時に空調を行うことが可能になるため、複数の部屋を対象として空調を行う空気調和装置への適用が特に有用である。
【図面の簡単な説明】
【００６８】
【図１】本願発明に係る壁面設置型空調室内機の斜視図。
【図２】本願発明に係る壁面設置型空調室内機の側断面図。
【図３】本願発明に係る冷媒回路を示す図。
【図４】他の実施形態（Ａ）に係る壁面設置型空調室内機の側断面図。
【図５】他の実施形態（Ｂ）に係る壁面設置型空調室内機の側断面図。
【図６】他の実施形態（Ｃ）に係る壁面設置型空調室内機の側断面図。
【図７】他の実施形態（Ｄ）に係る壁面設置型空調室内機の側断面図。
【図８】他の実施形態（Ｅ）に係る壁面設置型空調室内機の側断面図。
【図９】他の実施形態（Ｈ）に係る壁面設置型空調室内機の側断面図。
【図１０】他の実施形態（Ｉ）に係る壁面設置型空調室内機の側断面図。
【符号の説明】
【００６９】
１    壁面設置型空調室内機
２    室外機
４    室内機ケーシング（ケーシング）
５    制御部
１０    共通熱交換器
１０ｕ    上段共通熱交換器
１０ｄ    下段共通熱交換器
１１    シロッコファン、２連ターボファン（送風ファン、両吸込送風ファン）
１１ａ    複数の羽根
１２    室内ファンモータ
２０    室外熱交換器
２１    アキュムレータ
２２    圧縮機
２３    四路切換弁
２４    膨張弁
２６    液閉鎖弁
２７    ガス閉鎖弁
２８    プロペラファン
２９    室外ファンモータ
４１ｃ    左吸込口（第１吸込口）
４１ｕ    左上段吹出口（第１吹出口）
４１ｄ    左下段吹出口（第１吹出口）
４２ｃ    右吸込口（第２吸込口）
４２ｕ    右上段吹出口（第２吹出口）
４２ｄ    右下段吹出口（第２吹出口）
６１ｃ    左熱交換器（片側熱交換器）
６２ｃ    右熱交換器（片側熱交換器）
１００    空気調和装置
２９０    仕切ダンパ（仕切移動機構、吹出切替手段）
Ａ１    左空調エリア（第１空調エリア）
Ａ２    右空調エリア（第２空調エリア）
ＤＡ    ケーシング仕切板
ＤＦ    ファン仕切板
ＤＳ    壁（仕切板）
Ｆ１    左送風エリア（第１送風エリア）
Ｆ２    右送風エリア（第２送風エリア）
Ｓ１    左部屋（第１空間）
Ｓ２    右部屋（第２空間）
【図１】
2007278639.tif 000003
【図２】
2007278639.tif 000004
【図３】
2007278639.tif 000005
【図４】
2007278639.tif 000006
【図５】
2007278639.tif 000007
【図６】
2007278639.tif 000008
【図７】
2007278639.tif 000009
【図８】
2007278639.tif 000010
【図９】
2007278639.tif 000011
【図１０】
2007278639.tif 000012